(57)【要約】【目的】映像データの種別に拘わらずに電力消費量を低減することが可能な表示デバイスの駆動装置を提供することを目的とする。【構成】映像データ信号の提供元のアプリケーションソフトウェアの種別に基づき、データドライバへの電源供給を停止する第１の省電力モード、及び互いに隣接する水平走査ラインに夫々対応した１水平走査ライン分の映像データ信号同士が一致しているときにデータドライバによる画素データ系列信号の取り込み動作を停止させる第２の省電力モードの内の一方を実行する。【選択図】図１
2015102596.tif 000002
【特許請求の範囲】
【請求項１】
映像データ信号に基づく画像を表示デバイスに表示させる表示デバイスの駆動装置であって、
前記映像データ信号に基づき各画素の輝度レベルに対応した画素データの系列からなる画素データ系列信号を生成する駆動制御部と、
前記画素データ系列信号を取り込み、前記画素データによって示される輝度レベルに対応した画素駆動電圧を前記表示デバイスの複数のデータラインに印加するデータドライバと、を含み、
前記駆動制御部は、前記映像データ信号の提供元のアプリケーションソフトウェアが静止画の画像提供ソフトウェアであるのか、或いは動画領域を含む画像提供ソフトウェアであるのかを判別する判別部を含み、前記判別部の判別結果に基づき、前記データドライバへの電源供給を停止する第１の省電力モードと、互いに隣接する水平走査ラインに夫々対応した１水平走査ライン分の前記映像データ信号同士が一致しているときに前記データドライバによる前記画素データ系列信号の取り込み動作を停止させる第２の省電力モードと、の内の一方を実行することを特徴とする表示デバイスの駆動装置。
【請求項２】
前記駆動制御部は、前記判別結果が静止画の画像提供ソフトウェアを示す場合には前記第１の省電力モードを実行する一方、前記判別結果が動画領域を含む画像提供ソフトウェアを示す場合には前記第２の省電力モードを実行することを特徴とする請求項１記載の表示デバイスの駆動装置。
【請求項３】
前記データドライバは、前記表示デバイスの画面内の第１領域の画像表示を担う第１のデータドライバ、及び前記画面内において前記第１領域とは異なる第２領域の画像表示を担う第２のデータドライバに分割して構成されており、
前記駆動制御部は、前記アプリケーションソフトウェアが前記第１領域では動画像を表示させ且つ前記第２領域では静止画像を表示させるものである場合には、前記第１のデータドライバに対しては前記第２の省電力モードを実行し、前記第２のデータドライバに対しては前記第１の省電力モードを実行することを特徴とする請求項１記載の表示デバイスの駆動装置。
【発明の詳細な説明】
【技術分野】
【０００１】
本発明は、画像を表示する表示デバイスを映像信号に応じて駆動する表示デバイスの駆動装置に関する。
【背景技術】
【０００２】
現在、液晶表示パネル又は有機ＥＬ（electro-luminescence）等の表示デバイスを搭載した端末として、携帯電話機、スマートフォン、タブレット型コンピュータ、ノートブックコンピュータ、ナビゲーション装置及び携帯用ゲーム機等の携帯型通信端末が普及している。携帯型通信端末では、バッテリの連続稼働時間を確保する為に各種の省電力化技術が採用されている。このような省電力化技術として、入力されたフレーム単位の映像データに基づき入力画像が動画像であるか静止画像であるかを判定し、静止画像である場合には、入力された現フレームの映像データをフレームメモリへ供給するのを停止することにより、電力消費量を低減するようにした画像入力処理方法が提案されている（例えば、特許文献１参照）。しかしながら、映像データを提供するアプリケーションソフトウェアによっては動画像を主体として扱うものがある為、このようなアプリケーションソフトウェアによって映像データが供給されている場合には、上記した画像入力処理方法では省電力効果を発揮することはできなかった。
【先行技術文献】
【特許文献】
【０００３】
【特許文献１】特開２００６−１８４３５７号
【発明の概要】
【発明が解決しようとする課題】
【０００４】
本発明は、映像データの種別に拘わらずに電力消費量を低減することが可能な表示デバイスの駆動装置を提供することを目的とする。
【課題を解決するための手段】
【０００５】
本発明に係る表示デバイスの駆動装置は、映像データ信号に基づく画像を表示デバイスに表示させる表示デバイスの駆動装置であって、前記映像データ信号に基づき各画素の輝度レベルに対応した画素データの系列からなる画素データ系列信号を生成する駆動制御部と、前記画素データ系列信号を取り込み、前記画素データによって示される輝度レベルに対応した画素駆動電圧を前記表示デバイスの複数のデータラインに印加するデータドライバと、を含み、前記駆動制御部は、前記映像データ信号の提供元のアプリケーションソフトウェアが静止画の画像提供ソフトウェアであるのか、或いは動画領域を含む画像提供ソフトウェアであるのかを判別する判別部を含み、前記判別部の判別結果に基づき、前記データドライバへの電源供給を停止する第１の省電力モードと、互いに隣接する水平走査ラインに夫々対応した１水平走査ライン分の前記映像データ信号同士が一致しているときに前記データドライバによる前記画素データ系列信号の取り込み動作を停止させる第２の省電力モードと、の内の一方を実行する。
【図面の簡単な説明】
【０００６】
【図１】本発明に係る駆動装置を含む表示装置を示すブロック図である。
【図２】フレーム表示期間内での動作の一例を示すタイムチャートである。
【図３】極性切替信号ＰＯＬを示すタイムチャートである。
【図４】ＡＰ属性メモリ１１ａに予め記憶されている内容を示す図である。
【図５】データドライバ１３の内部構成を示すブロック図である。
【図６】省電力制御ルーチンを示すフローチャートである。
【図７】第１の省電力モードでの制御を示すタイムチャートである。
【図８】第２の省電力モードでの制御を示すタイムチャートである。
【図９】第２の省電力モードにおけるデータ走査期間ＳＰ内での制御の一例を示すタイムチャートである。
【図１０】本発明に係る駆動装置の他の一例を示すブロック図である。
【図１１】表示デバイス２０の画面ＳＣ内での領域区分を示す図である。
【図１２】ＡＰ属性メモリ１１ｃに予め記憶されている内容を示す図である。
【発明を実施するための形態】
【０００７】
以下、本発明の実施例を図面を参照しつつ詳細に説明する。
【０００８】
図１は、本発明に係る表示デバイスの駆動装置を搭載した表示装置の概略構成を示す図である。図１に示すように、かかる表示装置は、ビデオメモリ１０、駆動制御部１１、走査ドライバ１２、データドライバ１３、及び、液晶又は有機ＥＬからなる表示デバイス２０から構成される。
【０００９】
表示デバイス２０には、夫々が２次元画面の水平方向に伸張するｍ個（ｍは２以上の自然数）の水平走査ラインＳ1〜Ｓmと、夫々が２次元画面の垂直方向に伸張するｎ個（ｎは２以上の自然数）のデータラインＤ1〜Ｄnとが形成されている。更に、水平走査ライン及びデータラインの各交叉部の領域、つまり図１において破線にて囲まれた領域には、画素を担う表示セルが形成されている。
【００１０】
ビデオメモリ１０は、各種の映像提供用のアプリケーションソフトウェア（以下、単にＡＰと称する）によって提供される映像データ信号、又はテレビチューナ等によって受信して得られた映像データ信号を記憶する。ビデオメモリ１０は記憶されている映像データ信号を読み出し、これを映像データ信号ＶＤとして駆動制御部１１に供給する。
【００１１】
駆動制御部１１は、ビデオメモリ１０から読み出された映像データ信号ＶＤに基づき、各画素毎にその画素の輝度レベルを例えば８ビットで表す画素データＰＤの系列を生成し、この画素データＰＤの系列に、クロック信号の基準タイミングを示す基準タイミング信号を重畳した画素データ系列信号ＶＰＤを、データドライバ１３に供給する。また、駆動制御部１１は、かかる映像データ信号ＶＤに基づき、図２に示すように各画像のフレームに同期した垂直同期信号ＦＳを生成しこれをデータドライバ１３に供給する。
【００１２】
また、駆動制御部１１は、映像データ信号ＶＤに応じて、図２に示すように、表示デバイス２０に対する水平走査タイミングを示すストローブパルスＳＢの系列からなるストローブ信号ＳＴＢを生成し、これを走査ドライバ１２及びデータドライバ１３に供給する。よって、ストローブ信号ＳＴＢにおけるストローブパルスＳＢの周期が、表示ディバイス２０を駆動すべく印加される水平走査パルス（後述する）の水平走査周期Ｈｓとなる。この際、図２に示すように各フレーム表示期間（垂直走査期間）内において、走査ラインＳ1に対応した第１のストローブパルスＳＢ1が供給されてから、走査ラインＳmに対応した第ｍのストローブパルスＳＢmが供給されるまでの期間をデータ走査期間ＳＰとし、それ以降をブランク期間ＢＰとする。尚、上記したデータ走査期間ＳＰでは、駆動制御部１１は、図２に示すように、電源供給を継続させるべき例えば論理レベル１の電源スイッチ信号ＰＷ１及びＰＷ２を生成し、夫々をデータドライバ１３に供給する。そして、図２に示すように、データ走査期間ＳＰからブランク期間ＢＰに切り替わると、駆動制御部１１は、その時点から所定の電源停止期間Ｔ１の間に亘り電源供給を停止させるべき例えば論理レベル０の電源スイッチ信号ＰＷ１をデータドライバ１３に供給し、その後、電源スイッチ信号ＰＷ１を論理レベル１の状態に戻す。この際、データ走査期間ＳＰからブランク期間ＢＰに切り替わると、駆動制御部１１は、その時点から所定の電源停止期間Ｔ２（Ｔ２＞Ｔ１）に亘り、電源供給を停止させるべき論理レベル０の電源スイッチ信号ＰＷ２をデータドライバ１３に供給し、その後、電源スイッチ信号ＰＷ２を論理レベル１の状態に戻す。更に、図２に示すようにブランク期間ＢＰの開始時点から電源停止期間Ｔ１だけ経過した時点で、駆動制御部１１は、ダミーの画素データ系列に上記した基準タイミング信号を重畳させてなるクロック同期トレーニング用のデータ系列ＴＬＤを含む画素データ系列信号ＶＰＤを生成し、これをデータドライバ１３に供給する。また、駆動制御部１１は、表示デバイス２０に印加する画素駆動電圧の極性を、例えば図３に示すようにフレーム毎に正極性から負極生、或いは負極性から正極性に切り替えるべき極性切替信号ＰＯＬを生成し、これをデータドライバ１３に供給する。例えば、図３に示すように、極性切替信号ＰＯＬの立ち上がりエッジタイミング、及び立ち下がりエッジタイミングで、画素駆動電圧の極性が負極性から正極性、或いは正極性から負極性に切り替わる。
【００１３】
更に、駆動制御部１１は、ＡＰ属性メモリ１１ａ及びライン一致判定部１１ｂを備えている。ＡＰ属性メモリ１１ａには、図４に示すように、映像データ信号ＶＤの提供元となる各ＡＰを示す例えば名称又は番号等の識別情報と、そのＡＰが、静止画の画像提供ソフトウェアであるのか、或いは動画領域を含む画像提供ソフトウェアであるのかを示す属性情報と、が予め対応づけして記憶されている。ライン一致判定部１１ｂは、互いに上下に隣接する水平走査ライン各々に対応した１水平走査ライン分の画素データＰＤ群同士が同一であるか否かを判定する。ここで、駆動制御部１１には、映像データ信号ＶＤの提供元のＡＰを示すＡＰ識別信号ＩＡＰが供給されている。すなわち、図１に示す表示装置を有する例えば携帯情報端末に搭載されているＣＰＵ（Central Processing Unit）が、映像データ（ＶＤ）を取得すべく実行するＡＰを示すＡＰ識別信号ＩＡＰを、駆動制御部１１に供給するのである。駆動制御部１１は、このＡＰ識別信号ＩＡＰ及びＡＰ属性メモリ１１ａの記憶内容に基づき、後述する第１の省電力モード及び第２の省電力モードの内の一方に従った制御を行う。駆動制御部１１は、上記した第１の省電力モードでは、画素データ系列信号ＶＰＤの取り込みを実施させるべき例えば論理レベル１の取込停止信号ＬＳＴをデータドライバ１３に供給する。一方、第２の省電力モードでは、駆動制御部１１は、画素データ系列信号ＶＰＤの取り込みを停止させるべき例えば論理レベル０の取込停止信号ＬＳＴをデータドライバ１３に供給する。
【００１４】
走査ドライバ１２は、駆動制御部１１から供給されたストローブ信号ＳＴＢにおける各ストローブパルスに同期させて、所定のピーク電圧を有する水平走査パルスを生成し、これを表示デバイス２０の走査ラインＳ1〜Ｓm各々に順次、択一的に印加する。
【００１５】
図５は、データドライバ１３の内部構成を示すブロック図である。図５に示すように、データドライバ１３は、クロックデータリカバリ（以下、ＣＤＲと称する）回路１３０、電源スイッチ１３１、１３２、シフトレジスタ１３３、データラッチ１３４、階調電圧変換部１３５、及び出力バッファ１３６を含む。
【００１６】
ＣＤＲ回路１３０は、駆動制御部１１から供給された画素データ系列信号ＶＰＤ中から基準タイミング信号を抽出し、この基準タイミング信号に位相同期したクロック信号ＣＬＫを生成してシフトレジスタ１３３及びデータラッチ１３４に供給する。
【００１７】
電源スイッチ１３１は、電源供給を継続させるべき例えば論理レベル１の電源スイッチ信号ＰＷ１が駆動制御部１１から供給されている間はオン状態となり、ディジタル回路駆動用の電源電圧ＶＬを、ＣＤＲ回路１３０と、データ取込部としてのシフトレジスタ１３３及びデータラッチ１３４に供給する。よって、この間、ＣＤＲ回路１３０、シフトレジスタ１３３及びデータラッチ１３４は、この電源電圧ＶＬの供給に応じて動作可能な状態となる。一方、電源を停止させるべき例えば論理レベル０の電源スイッチ信号ＰＷ１が供給されている間は、電源スイッチ１３１はオフ状態となり、ＣＤＲ回路１３０、シフトレジスタ１３３及びデータラッチ１３４への電源電圧ＶＬの供給を停止する。よって、この間、ＣＤＲ回路１３０、シフトレジスタ１３３及びデータラッチ１３４は動作停止状態となる。
【００１８】
電源スイッチ１３２は、電源供給を継続させるべき例えば論理レベル１の電源スイッチ信号ＰＷ２が駆動制御部１１から供給されている間はオン状態となり、画素駆動用の電源電圧ＶＨを、画素駆動電圧出力部としての階調電圧変換部１３５及び出力バッファ１３６に供給する。よって、この間、階調電圧変換部１３５及び出力バッファ１３６は、かかる電源電圧ＶＨの供給に応じて動作可能な状態となる。一方、電源を停止させるべき例えば論理レベル０の電源スイッチ信号ＰＷ２が供給されている間は、電源スイッチ１３２はオフ状態となり、階調電圧変換部１３５及び出力バッファ１３６への電源電圧ＶＨの供給を停止する。よって、この間、階調電圧変換部１３５及び出力バッファ１３６は動作停止状態となる。
【００１９】
シフトレジスタ１３３は、駆動制御部１１から論理レベル１の取込停止信号ＬＳＴが供給されている間は、この駆動制御部１１から供給された画素データ系列信号ＶＰＤ中から、クロック信号ＣＬＫに同期したタイミングにて各画素に対応した画素データＰＤを順次取り込む。一方、駆動制御部１１から論理レベル０の取込停止信号ＬＳＴが供給されている間は、シフトレジスタ１３３は、画素データ系列信号ＶＰＤの取り込みを停止する。よって、この間、シフトレジスタ１３３内には、画素データ系列信号ＶＰＤの取り込み停止直前に取り込まれた前回の画素データが保持されている。シフトレジスタ１３３は、１水平走査ライン分（ｎ個）の取り込みが為される度に、ｎ個の画素データＰＤを画素データＰ1〜Ｐnとしてデータラッチ１３４に供給する。
【００２０】
データラッチ１３４は、図２に示すストローブ信号ＳＴＢに応じて、シフトレジスタ１３３から供給された画素データＰ1〜Ｐnをクロック信号ＣＬＫに同期したタイミングで取り込み、これらを階調電圧変換部１３５に供給する。
【００２１】
階調電圧変換部１３５は、データラッチ１３４から供給された画素データＰ1〜Ｐnを、夫々の輝度レベルに対応した電圧値を有する画素駆動電圧Ｖ1〜Ｖnに変換して出力バッファ１３６に供給する。
【００２２】
出力バッファ１３６は、画素駆動電圧Ｖ1〜Ｖn各々の極性を、駆動制御部１１から供給された極性切替信号ＰＯＬのエッジタイミングにて正極性から負極性、又は負極性から正極性に切り替える。出力バッファ１３６は、上述したように極性の切り替えが為された各画素毎の画素駆動電圧の各々を所望に増幅したものを画素駆動電圧Ｇ1〜Ｇnとし、夫々を表示デバイス２０のデータラインＤ1〜Ｄnに印加する。
【００２３】
表示デバイス２０は、図２に示すように、各フレーム表示期間内のデータ走査期間ＳＰ内において、ストローブパルスＳＢ1〜ＳＢmの各々に同期した走査パルスが走査ラインＳ1〜Ｓmの各々に順次、択一的に印加されることにより、画素駆動電圧Ｇ1〜Ｇnに応じた映像を１走査ライン分ずつ順に表示して行く。
【００２４】
以下に、上記した駆動制御部１１及びデータドライバ１３を含む駆動装置の動作について説明する。
【００２５】
駆動制御部１１は、ＡＰ識別信号ＩＡＰにて示されるＡＰが他のＡＰに切り替わる度に、図６に示す省電力制御ルーチンを実行する。
【００２６】
図６において、先ず、駆動制御部１１は、ＡＰ識別信号ＩＡＰにて示されるＡＰの属性を、図４に示すＡＰ属性メモリ１１ａの記憶内容から検索する（ステップＳ０１）。次に、駆動制御部１１は、そのＡＰの属性が、静止画の画像提供ソフトウェアを示すか否かを判定する（ステップＳ０２）。ステップＳ０２において、ＡＰの属性が静止画の画像提供ソフトウェアを示すと判定された場合には、駆動制御部１１は、第１の省電力モードに従った駆動制御を実行する（ステップＳ０３）。一方、かかるステップＳ０２において、ＡＰの属性が静止画の画像提供ソフトウェアを示すものではないと判定された場合、つまりＡＰの属性が動画領域を含む画像提供ソフトウェアを示すと判定された場合には、駆動制御部１１は、第２の省電力モードに従った駆動制御を実行する（ステップＳ０４）。
【００２７】
第１の省電力モードでは、駆動制御部１１は、図７に示すように静止画を表す１フレーム分の画素データ系列信号ＶＰＤをデータドライバ１３に送出した後、それ以降の各フレーム表示期間では画素データ系列信号ＶＰＤの送出を停止すると共に、電源を停止させるべき例えば論理レベル０の電源スイッチ信号ＰＷ１及びＰＷ２をデータドライバ１３に供給する。尚、新たな静止画を表す映像データ信号ＶＤが供給された場合には、駆動制御部１１は、再び図７に示す動作を実行する。
【００２８】
よって、第１の省電力モードでは、データドライバ１３による１フレーム分の画像を表示させるべき駆動の実行後は、このデータドライバ１３への電源供給が停止するので、電力消費量が低減される。
【００２９】
一方、第２の省電力モードでは、駆動制御部１１は、図８に示すように、各フレーム表示期間において図２に示される駆動制御を行う。この際、駆動制御部１１は、各フレーム表示期間内において、ライン一致判定部１１ｂの判定結果に基づき、画素データ系列信号ＶＰＤの取り込みを停止させるか否かを示す取込停止信号ＬＳＴを生成しこれをデータドライバ１３に供給する。
【００３０】
図９は、画素データ系列信号ＶＰＤにおける水平走査ラインＳ1〜Ｓ10に夫々対応した画素データ系列群Ｑ1〜Ｑ10の内で、水平走査ラインＳ3及びＳ4に対応したＱ3及びＱ4が一致しており、更に水平走査ラインＳ6〜Ｓ8に対応したＱ6〜Ｑ8が一致している場合に、駆動制御部１１で生成される取込停止信号ＬＳＴの一例を示すタイムチャートである。図９に示すように、駆動制御部１１は、ライン一致判定部１１ｂの判定結果が「不一致」である間、つまり互いに隣接する１水平走査ライン分の画素データ群同士が互いに異なっている場合には、画素データ系列信号ＶＰＤの取り込みを実行させるべき例えば論理レベル１の取込停止信号ＬＳＴを生成する。一方、ライン一致判定部１１ｂの判定結果が「一致」である間、つまり互いに隣接する１水平走査ライン分の画素データ群同士が同一である場合には、画素データ系列信号ＶＰＤの取り込みを停止させるべき例えば論理レベル０の取込停止信号ＬＳＴを生成する。よって、論理レベル１の取込停止信号ＬＳＴに応じて、データドライバ１３のシフトレジスタ１３３は、画素データ系列信号ＶＰＤにおける画素データＰＤの各々を順次シフトしつつ取り込み、１水平走査ライン分の取り込みが完了する度に、かかる１水平走査ライン分の画素データＰ1〜Ｐnを次段のデータラッチ１３４に供給する。一方、論理レベル０の取込停止信号ＬＳＴに応じて、シフトレジスタ１３３は、画素データ系列信号ＶＰＤの取り込みを停止し、前回取り込んだ１水平走査ライン分の画素データＰ1〜Ｐnを引き続き次段のデータラッチ１３４に供給する。
【００３１】
よって、第２の省電力モードでは、論理レベル０の取込停止信号ＬＳＴが供給されている間は、データドライバ１３は画素データ系列信号ＶＰＤの取り込みを停止、具体的にはデータドライバ１３のシフトレジスタ１３３が上記したシフト動作を停止するので、その分だけ電力消費量が低減される。
【００３２】
以上の如く、本発明に係る駆動装置は、映像データ信号の提供元のＡＰが静止画の画像提供ソフトウェアである場合には、図７に示すようにデータドライバ１３への電源供給を停止する（第１の省電力モード）ことにより電力消費量の低減を図る。一方、映像データ信号の提供元ＡＰが動画領域を含む画像提供ソフトウェアである場合には、図８及び図９に示すように、互いに上下に隣接する水平走査ラインに対応した１水平走査ライン分の画素データ群同士が一致しているときにデータドライバ１３による画素データ系列信号ＶＰＤの取り込み動作を停止させる（第２の省電力モード）ことにより電力消費量の低減を図るようにしている。
【００３３】
要するに、本発明に係る駆動装置は、駆動制御部（１１）が、映像データ信号（ＶＤ）に基づき各画素の輝度レベルに対応した画素データの系列からなる画素データ系列信号（ＶＰＤ）を生成する。すると、データドライバ（１３）は、かかる画素データ系列信号を取り込み、画素データによって示される輝度レベルに対応した画素駆動電圧（Ｇ）を表示デバイス（２０）の複数のデータライン（Ｄ1〜Ｄn）に印加する。この間、駆動制御部は、映像データ信号の提供元のＡＰが静止画の画像提供ソフトウェアであるのか、或いは動画領域を含む画像提供ソフトウェアであるのかを判別し（Ｓ０１、Ｓ０２）、その判別結果に基づき、以下の第１の省電力モード及び第２の省電力モードの内の一方を実行する。つまり、第１の省電力モードではデータドライバへの電源供給を停止し、第２の省電力モードでは、互いに隣接する水平走査ラインに夫々対応した１水平走査ライン分の映像データ信号同士が一致しているときにデータドライバによる画素データ系列信号の取り込み動作を停止させるのである。
【００３４】
よって、本発明によれば、静止画の画像提供ソフトウェアによって提供される映像データのみならず、動画領域を含む画像提供ソフトウェアによって提供される映像データが供給された場合でも、電力消費量を低減することが可能となる。
【００３５】
尚、画像提供ソフトウェアによっては、画面の全面に亘り動画又は静止画を表示させるもの以外にも、画面中央の領域に動画、画面周辺の領域に静止画を表示させるもの、或いは画面中央より右側（又は左側）の領域に動画、その他の領域に静止画を表示させるもの等がある。
【００３６】
図１０は、このような各種ＡＰに対応させて効率良く消費電力の低減を図れるようにした駆動装置の他の一例を示すブロック図である。図１０に示す駆動装置では、図１に示すデータドライバ１３を、図１１に示す表示デバイス２０の画面ＳＣの左領域ＬＡの表示を担うデータドライバ１３ａと、中央領域ＣＡの表示を担うデータドライバ１３ｂと、右領域ＲＡの表示を担うデータドライバ１３ｃとに分割して構成している。更に、図１０に示す駆動装置は、駆動制御部１１に代えて駆動制御部１１Ａを採用している。尚、駆動制御部１１Ａは、ＡＰ属性メモリ１１ａに代えてＡＰ属性メモリ１１ｃを含んでいる。
【００３７】
駆動制御部１１Ａは、取込停止信号ＬＳＴに代えてＬＳＴａ〜ＬＳＴｃを生成し、電源スイッチ信号ＰＷ１及びＰＷ２に代えてＰＷ１ａ〜ＰＷ１ｃ及びＰＷ２ａ〜ＰＷ２ｃを生成する点を除く他の動作は、駆動制御部１１と同一である。
【００３８】
データドライバ１３ａ〜１３ｃは共に、図５に示す内部構成を有する。ただし、データドライバ１３ａのシフトレジスタ１３３は、駆動制御部１１Ａから供給された画素データ系列信号ＶＰＤ中から、表示デバイス２０の左領域ＬＡに対応したデータラインＤ1〜Ｄe（ｅ＜ｎの整数）に対応した画素データＰＤの系列を順に取り込み、ｅ個の画素データＰ1〜Ｐeをデータラッチ１３４に供給する。これにより、データドライバ１３ａは、画素データＰ1〜Ｐeの各々に対応した画素駆動電圧Ｇ1〜Ｇeを、表示デバイス２０のデータラインＤ1〜Ｄeに供給する。データドライバ１３ｂのシフトレジスタ１３３は、駆動制御部１１Ａから供給された画素データ系列信号ＶＰＤ中から、表示デバイス２０の中央領域ＣＡに対応したデータラインＤe+1〜Ｄk（ｅ＜ｋの整数）に対応した画素データＰＤの系列を順に取り込み、（ｋ−ｅ）個の画素データＰe+1〜Ｐkをデータラッチ１３４に供給する。これにより、データドライバ１３ｂは、画素データＰe+1〜Ｐkの各々に対応した画素駆動電圧Ｇe+1〜Ｇkを、表示デバイス２０のデータラインＤe+1〜Ｄkに供給する。データドライバ１３ｃのシフトレジスタ１３３は、駆動制御部１１Ａから供給された画素データ系列信号ＶＰＤ中から、表示デバイス２０の右領域ＲＡに対応したデータラインＤk+1〜Ｄnに対応した画素データＰＤの系列を順に取り込み、（ｎ−ｋ）個の画素データＰk+1〜Ｐnをデータラッチ１３４に供給する。これにより、データドライバ１３ｃは、画素データＰk+1〜Ｐnの各々に対応した画素駆動電圧Ｇk+1〜Ｇnを、表示デバイス２０のデータラインＤk+1〜Ｄnに供給する。
【００３９】
ＡＰ属性メモリ１１ｃには、例えば図１２に示すように、映像データ信号ＶＤの提供元となり得るＡＰの各々を示す識別情報と、データドライバ１３ａ〜１３ｃの各々毎にそのデータドライバが担当する画面領域で静止画表示が為されるのか、或いは動画表示が為されるのかを示す属性情報と、が予め対応づけして記憶されている。例えば、図１２に示す一例では、「ＡＰ１」は、画面ＳＣの全面が動画領域となる映像データ信号を提供する画像提供ソフトウェアである。また、「ＡＰ２」は、画面ＳＣの中央領域ＣＡに動画像を表示させ、右領域ＲＡ及び左領域ＬＡに静止画像を表示させるべき映像データ信号を提供する画像提供ソフトウェアである。また、「ＡＰ３」は、画面ＳＣの左領域ＬＡに動画像を表示させ、右領域ＲＡ及び中央領域ＣＡに静止画像を表示させるべき映像データ信号を提供する画像提供ソフトウェアである。
【００４０】
ここで、駆動制御部１１Ａは、ＡＰ識別信号ＩＡＰにて示されるＡＰに対応したデータドライバ１３ａ〜１３ｃ毎の属性を、図１２に示すＡＰ属性メモリ１１ｃの記憶内容から検索する。この際、データドライバ１３ａ〜１３ｃの内でその属性が静止画表示を示すデータドライバに対しては、駆動制御部１１Ａは、図７に示す第１の省電力モードで駆動させるべきＶＰＤ、ＬＳＴ、ＰＷ１及びＰＷ２をこのデータドライバに供給する。一方、その属性が動画表示を示すデータドライバに対しては、駆動制御部１１Ａは、図８に示す第２の省電力モードで駆動させるべきＶＰＤ、ＬＳＴ、ＰＷ１及びＰＷ２をこのデータドライバに供給する。例えば、ＡＰ識別信号ＩＡＰにて示されるＡＰが図１２に示すＡＰ２である場合には、駆動制御部１１Ａは、データドライバ１３ａに対しては、これを図７に示す第１の省電力モードで駆動させるべきＶＰＤ、ＬＳＴａ、ＰＷ１ａ及びＰＷ２ａを供給する。更に、駆動制御部１１Ａは、データドライバ１３ｂに対しては、これを図８に示す第２の省電力モードで駆動させるべきＶＰＤ、ＬＳＴｂ、ＰＷ１ｂ及びＰＷ２ｂを供給すると共に、データドライバ１３ｃに対しては、これを図７に示す第１の省電力モードで駆動させるべきＶＰＤ、ＬＳＴｃ、ＰＷ１ｃ及びＰＷ２ｃを供給する。
【００４１】
これにより、映像データ信号の提供元となるＡＰ各々の固有の表示形態、つまり表示デバイス２０の画面ＳＣ内の各領域（ＬＡ、ＣＡ、ＲＡ）毎の表示形態（動画、静止画）に対応させて、効率良く電力消費を低減することが可能となる。
【００４２】
尚、図１０〜図１２に示す一例では、データドライバ１３を、表示デバイス２０の画面ＳＣ内の３つの領域（ＬＡ、ＣＡ、ＲＡ）各々での画像表示を担うデータドライバ１３ａ〜１３ｃに分割して構成しているが、データドライバ１３を分割する数は２つ以上であれば良い。
【００４３】
要するに、データドライバ（１３）は、表示デバイス（２０）の画面（ＳＣ）内の第１領域の画像表示を担う第１のデータドライバ、及びこの画面内において第１領域とは異なる第２領域の画像表示を担う第２のデータドライバに分割して構成されていれば良いのである。この際、駆動制御部（１１）は、アプリケーションソフトウェアが、第１領域では動画像を表示させ且つ第２領域では静止画像を表示させるものである場合には、第１のデータドライバに対しては第２の省電力モード（図８）を実行し、第２のデータドライバに対しては第１の省電力モード（図７）を実行するようにすれば良いのである。
【符号の説明】
【００４４】
１１            駆動制御部
１１ａ          ＡＰ属性メモリ
１１ｂ          ライン一致判定部
１３            データドライバ
２０            表示デバイス
【図１】
2015102596.tif 000003
【図２】
2015102596.tif 000004
【図３】
2015102596.tif 000005
【図４】
2015102596.tif 000006
【図５】
2015102596.tif 000007
【図６】
2015102596.tif 000008
【図７】
2015102596.tif 000009
【図８】
2015102596.tif 000010
【図９】
2015102596.tif 000011
【図１０】
2015102596.tif 000012
【図１１】
2015102596.tif 000013
【図１２】
2015102596.tif 000014